(57)【要約】【課題】ボールト式の貯蔵施設において、キャニスタの多段収納を可能とし、高密度貯蔵を実現する。【解決手段】収納管２の内部に複数のキャニスタ３（３ａ、３ｂ）を多段積みにして収納し、かつ収納管には、各段のキャニスタのそれぞれに冷却空気を独立に供給してそれらキャニスタを独立に冷却しかつ独立に排出するための複数の流通路を設ける。キャニスタを２段積みする場合、収納管の下半部の内側には下段用冷却流通路３１を設けるとともにその外側に上段用導入流通路４１を設け、収納管の上半部の内側には、上段用導入流通路４１に連通する上段用冷却流通路４３を設けるとともに、その外側には、下段用冷却流通路３１に連通する下段用排出流通路３３を設ける。【選択図】      図３
2004340889.tif 000002
【特許請求の範囲】
【請求項１】
貯蔵室内に林立させた多数の収納管内にキャニスタを収納して貯蔵するとともに、貯蔵室内の下部および上部にはそれぞれ下部プレナムおよび上部プレナムを設け、キャニスタを冷却するための冷却空気を下部プレナムから収納管内に流入せしめてその内部を上昇させ上部プレナムを通して排気する構成の使用済み燃料貯蔵施設において、
収納管の内部に複数のキャニスタを多段積みにして収納し、かつ収納管には、各段のキャニスタのそれぞれに冷却空気を独立に供給してそれらキャニスタを独立に冷却しかつ独立に排出するための複数の流通路を設けたことを特徴とする使用済み燃料貯蔵施設。
【請求項２】
請求項１記載の使用済み燃料貯蔵施設において、
収納管内にキャニスタを２段積みにして、収納管の下半部の内側に下段のキャニスタを収納するとともに、上半部の内側に上段のキャニスタを収納し、
収納管の下半部の内側には、下段のキャニスタを冷却するための冷却空気を流通させる下段用冷却流通路を設けるとともに、その外側には、上段のキャニスタを冷却するための冷却空気を収納管の上半部の内側に導入する上段用導入流通路を設け、
収納管の上半部の内側には、上段のキャニスタを冷却するための冷却空気を前記上段用導入流通路から導入して流通させる上段用冷却流通路を設けるとともに、その外側には、下段のキャニスタを冷却した冷却空気を前記下段用冷却流通路から排出する下段用排出流通路を設けたことを特徴とする使用済み燃料貯蔵施設。
【発明の詳細な説明】
【０００１】
【発明の属する技術分野】
本発明は放射性物質の貯蔵施設に係わり、特にボールト式の使用済み燃料貯蔵施設に関する。
【０００２】
【従来の技術】
使用済み燃料の貯蔵施設としては冷却空気の自然対流を利用したボールト式と称される形式のものがあり、その一例を図５に示す。これは、貯蔵室１内に多数の収納管２を縦横に配列（図示例では１ブロックに３列×６列）して林立せしめ、それら収納管２内に、使用済み燃料を封入したキャニスタ３を支持束４により支持した状態で貯蔵することを基本とするものである。
【０００３】
貯蔵室１の上部にはキャニスタ３を収納管２に収納する作業を行うための搬送室５を設け、貯蔵室１と搬送室５とを遮蔽性能を有する操作床６にて区画し、その操作床６には各収納管２にキャニスタ３を装入するための装入口７をそれぞれの収納管２の直上に位置して設け、各装入口７には遮蔽プラグ８を装着するようになっている。
【０００４】
また、貯蔵室１に通じるように給気シャフト９および排気シャフト１０を設け、排気シャフト１０の煙突効果により生じる自然通風力によってキャニスタ３を冷却するようにしている。すなわち、図５（ａ）に矢印で示しているように、給気シャフト９を通して外部から冷却空気が貯蔵室１に吸入され、貯蔵室１に吸入された冷却空気は、貯蔵室１の底部に確保されている下部プレナム１１から収納管２内を上昇してキャニスタ３の周囲を通過することでそれを冷却し、貯蔵室１の上部に確保されている上部プレナム１２から排気シャフト１０を上昇して外部に放出されるようになっている。なお、そのような冷却空気の流通路の要所には遮蔽のための迷路が形成されている。
【０００５】
ところで、このようなボールト式の貯蔵施設においては、多数のキャニスタ３を貯蔵し得るように貯蔵密度を充分に高めることが望まれ、そのため収納管２内に複数のキャニスタ３を多段に収納することで高密度化を図ることが検討されている。しかし、複数のキャニスタ３を単に収納管２内に多段に収納することでは各キャニスタ３に対する冷却効率が低下し、特に上段側のキャニスタ３を充分に冷却できなくなることが想定されるので、そのようなことは現実的ではない。なお、それを可能とするために冷却空気量を増大させることが考えられるが、そのためには排気シャフト１０を充分に高くして自然通風力を高める必要があり、やはり現実的ではない。
【０００６】
また、ボールト式の貯蔵施設ではないが、たとえば特許文献１には、貯蔵庫モジュールを地中に多段に設置するとともに各モジュール毎に独立した冷却用空気通路を設ける構造の地中貯蔵庫が提案されている。
【０００７】
【特許文献１】
特開平１１−２１８５９６号公報
【０００８】
【発明が解決しようとする課題】
上述したように、従来一般のボールト式の貯蔵施設では収納管２内にキャニスタ３を支障なく多段収納することは困難であるし、また特許文献１に示されるような地中貯蔵庫は使用済み燃料の貯蔵施設としては一般的なものではないので現実的ではない。
【０００９】
上記事情に鑑み、本発明は、ボールト式の使用済み燃料の貯蔵施設を対象として、その収納管に複数のキャニスタを多段に貯蔵することを可能とし、以て、貯蔵密度を充分に高めることのできる有効適切なボールト式の使用済み燃料貯蔵施設を実現することにある。
【００１０】
【課題を解決するための手段】
請求項１の発明は、貯蔵室内に林立させた多数の収納管内にキャニスタを収納して貯蔵するとともに、貯蔵室内の下部および上部にはそれぞれ下部プレナムおよび上部プレナムを設け、キャニスタを冷却するための冷却空気を下部プレナムから収納管内に流入せしめてその内部を上昇させ上部プレナムを通して排気する構成の使用済み燃料貯蔵施設において、収納管の内部に複数のキャニスタを多段積みにして収納し、かつ収納管には、各段のキャニスタのそれぞれに冷却空気を独立に供給してそれらキャニスタを独立に冷却しかつ独立に排出するための複数の流通路を設けたことを特徴とする。
【００１１】
請求項２の発明は、請求項１の発明の使用済み燃料貯蔵施設において、収納管内にキャニスタを２段積みにして、収納管の下半部の内側に下段のキャニスタを収納するとともに、上半部の内側に上段のキャニスタを収納し、収納管の下半部の内側には、下段のキャニスタを冷却するための冷却空気を流通させる下段用冷却流通路を設けるとともに、その外側には、上段のキャニスタを冷却するための冷却空気を収納管の上半部の内側に導入する上段用導入流通路を設け、収納管の上半部の内側には、上段のキャニスタを冷却するための冷却空気を前記上段用導入流通路から導入して流通させる上段用冷却流通路を設けるとともに、その外側には、下段のキャニスタを冷却した冷却空気を前記下段用冷却流通路から排出する下段用排出流通路を設けたことを特徴とする。
【００１２】
【発明の実施の形態】
図１〜図４は本発明の実施形態である貯蔵施設を示すもので、図１は全体概略構成を示す立断面図、図２は収納管２の立断面図、図３は収納管２の中央部の拡大断面図、図４は収納管２の各部の断面図（断面位置は図３（ａ）参照）である。
【００１３】
本実施形態の貯蔵施設は、基本的には図５に示した従来のものと同様のボールト式のものであって、貯蔵室１内に林立させた収納管２内にキャニスタ３を支持束４により支持して収納するものであり、かつ収納管２の上下に下部プレナム１１と上部プレナム１２を確保しておき、給気シャフト９から下部プレナム１１、収納管２内、上部プレナム１２、排気シャフト１０という経路で冷却空気を流通させることでキャニスタ３の冷却を行うようにされている。
【００１４】
また、本実施形態の貯蔵施設においても、貯蔵室１と搬送室５とを操作床６により区画し、操作床６には各収納管２に対応する装入口７を設け、各装入口７には遮蔽プラグ８を装着するものであり、そのような構成は従来のものと同様であるが、本実施形態の貯蔵施設ではキャニスタ３の高密度貯蔵を可能とするべく、収納管２内に２台のキャニスタ３（３ａ、３ｂ）を２段に積み重ねて収納しており、かつそのように２台のキャニスタ３ａ、３ｂを２段積みとしても双方のキャニスタ３ａ、３ｂを支障なく冷却し得るように、双方のキャニスタ３ａ、３ｂのそれぞれに対して冷却空気を独立に供給して独立に冷却し、かつ独立に排出するための複数の流通路を設けたものとされている。
【００１５】
すなわち、本実施形態では、図３に示すように収納管２の中央部に内側に膨出する段部２１を設け、その段部２１よりも下側の下半部の内側に下段のキャニスタ３ａを支持束４により支持して収納するとともに、段部２１には台座２２を係合せしめてその台座２２により上段のキャニスタ３ｂを支持して収納管２の上半部内側に収納するようにしており、かつ台座２２によって収納管２の内部を上下に区画したものとなっている。
【００１６】
そして、収納管２の下半部の内側には、下段のキャニスタ３ａを冷却するための冷却空気を流通させる下段用冷却流通路３１が設けられているとともに、その外側には、上段のキャニスタ３ｂを冷却するための冷却空気を収納管２の上半部の内側に導入する上段用導入流通路４１が設けられている。なお、図３に示しているように、収納管２の下半部の外面（すなわち、下段用冷却流通路３１と上段用導入流通路４１との間）には断熱材５１を設けることが好ましい。
【００１７】
また、収納管２の上半部の内側には、上段用開口部４２を通して上記の上段用導入流通路４１と連通している上段用冷却流通路４３が設けられているとともに、その外側には、下段用開口部３２を通して上記の下段用冷却流通路３１と連通している下段用排出流通路３３が設けられている。
【００１８】
したがってこのような構造の収納管２では、冷却空気が下部プレナム１１から下段用冷却流通路３１に流入し、そこを上昇する間に下段のキャニスタ３ａを冷却し、昇温された冷却空気は下段用開口部３２から下段用排出流通路３３に流入し、そこを上昇して上部プレナム１２に流出するという一連の流通路が形成される。また、それとは独立に、冷却空気が下部プレナム１１から上段用導入流通路４１に流入し、そこを上昇して上段用開口部４２から上段用冷却流通路４３に流入し、そこを上昇する間に上段のキャニスタ３ｂを冷却し、昇温された冷却空気は上部プレナム１２に流出するという一連の流通路が形成される。
【００１９】
このように、本実施形態の施設では、収納管２内に２段積みした双方のキャニスタ３ａ、３ｂに対してそれぞれ独立の流通路を確保したことにより、双方のキャニスタ３ａ、３ｂに対して常に低温の冷却空気が直接的に導入されるとともに直接的に排気され、したがって双方のキャニスタ３ａ、３ｂを従来と同様に支障なく冷却することが可能であり、それ故にキャニスタ３を２段積みとして高密度貯蔵を実現することができる。
【００２０】
なお、上記実施形態ではキャニスタ３を２段積みしていることから、収納管２の下半部を実質的に二重管構造として周方向に分割することで独立した二経路の流通路を確保する構成としたが、流通路の形態は任意であって適宜の変更が可能である。また、キャニスタ３を３段以上に積み重ねることも可能であり、その場合も各段のキャニスタ３に対応する流通路をそれぞれ独立に設ければ良い。また、収納管２にキャニスタ３を多段に収納することに加えて、その収納管２を千鳥配置すればより一層の高密度化が可能である。
【００２１】
【発明の効果】
請求項１の発明は、収納管の内部に複数のキャニスタを多段積みにして収納し、かつ収納管には、各段のキャニスタのそれぞれに冷却空気を独立に供給してそれらキャニスタを独立に冷却しかつ独立に排出するための複数の流通路を設けたので、各段のキャニスタを支障なく冷却することができ、したがってボールト式の貯蔵施設においてキャニスタを多段収納することによる高密度貯蔵を実現することができる。
【００２２】
特に、請求項２の発明は、収納管内にキャニスタを２段積みにして、下段のキャニスタを冷却するために下段用冷却流通路と下段用排出流通路からなる一連の流通路を設け、かつ、それとは独立に、上段のキャニスタを冷却するために上段用導入流通路と上段用冷却流通路からなる一連の流通路を設けたので、極めて簡単な構成で上下２段のキャニスタの双方を有効に冷却することができる。
【図面の簡単な説明】
【図１】本発明の実施形態である貯蔵施設の全体概略構成を示す立断面図である。
【図２】同、収納管を示す立面図である。
【図３】同、収納管の要部拡大図である。
【図４】同、収納管の各部の断面図である。
【図５】従来一般の貯蔵施設の概要を示す図である。
【符号の説明】
１  貯蔵室
２  収納管
３（３ａ、３ｂ）  キャニスタ
４  支持束
５  搬送室
６  操作床
７  装入口
８  遮蔽プラグ
９  給気シャフト
１０  排気シャフト
１１  下部プレナム
１２  上部プレナム
２１  段部
２２  台座
３１  下段用冷却流通路
３２  下段用開口部
３３  下段用排出流通路
４１  上段用導入流通路
４２  上段用開口部
４３  上段用冷却流通路
５１  断熱材
【図１】
2004340889.tif 000003
【図２】
2004340889.tif 000004
【図３】
2004340889.tif 000005
【図４】
2004340889.tif 000006
【図５】
2004340889.tif 000007